(57)【特許請求の範囲】
【請求項１】
コンクリート打込用の脱型仮型枠に対して埋込材をセッティングしてコンクリートを打込み施工する方法において、埋込材内に挿通されてあって、埋込材の浮上と同伴して上昇できる芯材を脱型仮型枠に挿通接続して設けておくと共に、この芯材の下端または下端付近に芯材の上昇位置を規制できるストッパーを設けておき、コンクリートの打込みによって埋込材を芯材とともにストッパーで規制される所定位置まで浮上させ、コンクリート層内の厚み途中に埋込材を埋込むことを特徴とするコンクリートスラブの施工方法。
【請求項２】
コンクリート打込用の脱型仮型枠に対して挿通接続できる芯材を備えた埋込材であって、上記芯材は埋込材内に挿通してあり、上記埋込材はコンクリートの打込みによって芯材を伴って浮上できるように設けてあることを特徴とする埋込材。
【請求項３】
埋込材には埋込材の浮上に伴い同伴上昇できる芯材の下端または下端付近に芯材の上昇位置を規制するストッパーを設けて埋込材の浮上位置を規制できるようにしてあることを特徴とする請求項２記載の埋込材。
【請求項４】
埋込材には長手方向側面に埋込材相互の嵌合用凹凸部を設けてあることを特徴とする請求項２または３記載の埋込材。
【請求項５】
埋込材には長手方向端面部に埋込材相互の連結用あいじゃくり部を設けてあることを特徴とする請求項２〜４の何れかに記載の埋込材。
【請求項６】
浮上できる埋込材の底面が平坦に形成されてあることを特徴とする請求項２〜５の何れかに記載の埋込材。
【請求項７】
浮上できる埋込材が合成樹脂の発泡体にて形成されてあることを特徴とする請求項２〜６の何れかに記載の埋込材。
【発明の詳細な説明】
【０００１】
【発明の属する技術分野】
本発明は埋込材をコンクリート層の途中に埋込めるコンクリートスラブの施工方法およびその施工に用いる埋込材に関する。
【０００２】
【従来の技術および発明が解決しようとする課題】
従来より埋込材をコンクリート層中に埋込むコンクリートスラブ施工方法としては、埋込材と共にその固定部材や支承具を一緒にコンクリートにて囲繞できるようにした方法が採用されており、特公平２−４１６１４号によるコンクリートスラブの施工方法を例示できる。
【０００３】
この施工方法では固定部材や支承具にて埋込材を脱型仮型枠から若干浮かせた状態に予め支承固定してコンクリートを打込んでいるものであった。
また、コンクリート打込み時に埋込材が支承位置から浮上ったりするのを防止するようにした考案も提案されていた（例えば実開昭６１−２０６４２号）。
このように従来は埋込材を支承位置から浮上したりしないよう予め位置決めすることを現場打込み前に配慮されていたものであった。
【０００４】
即ち、コンクリート打込み時には打込んだコンクリートによって埋込材はしっかり止定していないと浮上する方向に作用力を受け易いものであった。
そこで、本発明者においては、コンクリート打込み時に埋込材を浮上させようとする作用力を従来のように抑止するのではなく、これを利用することに着目して、埋込材をコンクリート層の途中にて適切に埋込むことを目的とした発明を先に出願したが（特願平１０−３６７６８９号）、今回さらに改良を加え上記先願よりも取付資材の部品点数を少なくしてコストダウン化を促進するとともに施工を一層行い易くしたものである。
【０００５】
【課題を解決するための手段】
上記したように、埋込材をコンクリート層の途中にて適切に埋込めるようにする本発明にあっては、請求項１に記載したように、コンクリート打込用の脱型仮型枠に対して埋込材をセッティングしてコンクリートを打込み施工する方法において、埋込材内に挿通されてあって、埋込材の浮上と同伴して上昇できる芯材を脱型仮型枠に挿通接続して設けておくと共に、この芯材の下端または下端付近に芯材の上昇位置を規制できるストッパーを設けておき、コンクリートの打込みによって埋込材を芯材とともにストッパーで規制される所定位置まで浮上させ、コンクリート層内の厚み途中に埋込材を埋め込むことを特徴としており、コンクリート打込力を利用して埋込材をコンクリート層内の途中に埋込むことが可能となり、コンクリートの打込みによる埋込材の浮上位置が決まるようにしてあり、浮上位置が一定化できることになる。
【０００６】
また、本発明施工方法に用いる埋込材としては、請求項２に記載したように、コンクリート打込用の脱型仮型枠に対して挿通接続できる芯材を備えた埋込材であって、上記芯材は埋込材内に挿通してあり、上記埋込材はコンクリートの打込みによって芯材を伴って浮上できるように設けてあることを特徴としていると、脱型仮型枠に挿通接続してある芯材を伴って確実に浮上できる埋込材を提供できる。
【０００７】
さらに、埋込材について請求項３に記載したように、埋込材には埋込材の浮上に伴い同伴上昇できる芯材の下端または下端付近に芯材の上昇位置を規制するストッパーを設けてあることを特徴としていると、埋込材と共に上昇する芯材の上昇位置が規制され、芯材を伴って上昇する埋込材の上昇位置が決定され、上昇位置が一定化且つ安定化できることになる。
【０００８】
上記した埋込材には請求項４に記載したように、長手方向側面に埋込材相互の嵌合用凹凸部を設けてあると、施工時に埋込材相互を横方向に連結して並設する際の連結を安定化させることができる。
また、埋込材には請求項５に記載したように、長手方向端面部に埋込材相互の連結用あいじゃくり部を設けておくと、施工時に埋込材相互を縦方向に連結して並設するのに役立ち、連結を安定化させることができる。
【０００９】
また、コンクリート打込時、打込衝撃により埋込材が傾くことを最小におさえ、埋込材相互の位置を確保しつつ埋込材を浮上させることができる。
なお、これら埋込材相互の横方向の連結や縦方向への連結は実施上縦横片方だけでも可能であるが、実施上縦横双方について行う方が連結上好適となる。
上記した埋込材は特に請求項６に記載したように、浮上できる埋込材の底面が平坦に形成されてあることを特徴としていると、脱型仮型枠へのセッティング後、埋込材上を作業者が歩いても埋込材への回転作用が平坦な底面にて生じないようにしているので、安定化させるのに適した底面形状となり、実施上好ましいことになる。
【００１０】
さらに埋込材としては請求項７に記載したように浮上できる埋込材が合成樹脂の発泡体にて形成されてあることを特徴としていると、コンクリート層中のボイドとして軽量化が実現でき好ましいものが提供できる。
【００１１】
【発明の実施の形態】
次いで、本発明による実施の形態について図を参照しながら以下に説明する。図１および図２は第１番目の実施形態であり、図１はコンクリート打設前、図２はコンクリート打設後を示してある。
図１および図２における符号の１は目的地に敷設されたコンクリート打込用の木製の脱型仮型枠である。
【００１２】
さらに、図１において２は埋込材Ａに対して挿通してある芯材であって、芯材２の下端部側は脱型仮型枠１に挿通接続されてあり、埋込材Ａと同伴上昇できるように設けてあり、その下端（下端付近の場合もある）には拡開可能なストッパー２０を設けてあり、芯材２が埋込材Ａと共に上昇した際、ストッパー２０が脱型仮型枠１の位置で拡開して止まり、芯材２と埋込材Ａの上昇位置が規制されるようになっている。２１は芯材２の上端に一体化するよう設けてある押さえプレートで埋込材Ａと共に芯材２を同伴上昇できるように設けてある。
【００１３】
なお、図１（図２）におけるＦは配筋された鉄筋を図示してある。
上記したごとく、コンクリート打込用の脱型仮型枠１に対して、埋込材Ａに挿通した芯材２を脱型仮型枠１に対して挿通接続するとともに埋込材Ａを脱型仮型枠１上にセッティングする。このように芯材２が埋込材１に挿通された状態（図１）から、コンクリートＣを打込むと、コンクリートＣの打込みに伴って埋込材Ａはコンクリートの打込み力にて浮上される。
【００１４】
詳細に説明すると、埋込材Ａは芯材を伴いながら上昇し、芯材２のストッパー２０が脱型仮型枠１に当って拡開することにより上昇が所定位置で規制され、埋込材Ａはコンクリート層の途中となる位置で上昇が規制される（図２参照）。さらにコンクリートの打込みで埋込材Ａはコンクリート層Ｃ内の厚み途中に埋込まれることになり、現場打ちによって埋込材Ａを内包するコンクリートスラブが形成できる。
【００１５】
上記した埋込材Ａとしては、図３のごとく、長手方向側面に埋込材相互の嵌合用凹凸部３０，３０′を設けておくと（例えば直径約２２５×長さ約１２００mmの場合２箇所）、横方向へ埋込材Ａ，Ａ……を並設する際の安定的接続に好適であり、図４のごとく長手方向端面に埋込材相互の連結用あいじゃくり部４０，４０′を設けておくと、埋込材Ａ，Ａ……を縦方向へ連結する際の安定化をはかることができる。
【００１６】
さらに埋込材Ａとしては脱型仮型枠１へのセッティング後に、作業者が埋込材Ａ上を歩いても回転したりしない形状として図５のように、平坦な底面ａに形成したものが好ましいが、これに限定されるものではなく、円柱状ないしは略円柱状のものを横倒しにして使用している。そして埋込材Ａの材質については発泡ポリスチレンその他の合成樹脂の発泡体が好ましいが、これに限定されるものではなく、既知の中空埋込材を使用してもよい。
【００１７】
次に、図６には芯材２として第２番目の実施形態を示しており、芯材２のストッパー２０′として埋込材Ａや脱型仮型枠１に挿通して後にナット２０′をあと止めしておく場合であり、図７にはコンクリート打込後に、芯材２を脱型仮型枠１の除去と共に埋込材Ａから抜脱し易いように、ねじ止め部２２を途中に設けてある場合を示してあり、脱型仮型枠をコンクリート打込後に脱型して除去する際、芯材２の下部を切除する手間を省けるようにし、芯材２の抜脱後にはスペーサー（図示せず）を埋設することになる。
【００１８】
【発明の効果】
以上のように、本発明施工方法によると、コンクリートの打込みに伴う埋込材に対する浮上を有効に利用して打込材をコンクリート層内の途中所定位置に埋込むことができることになり、現場または工場内で低コスト且つ短時間によるコンクリートスラブ施工が実現でき、容易にコンクリートスラブを提供できる。
【００１９】
また、本発明の施工方法に用いる埋込材については、芯材を埋込材に挿通してセッティングしただけのものであるから、取付資材の部品点数も少なくコスト安価にして、しかも施工のし易いものが提供できる。
また、埋込材の浮上位置の規制についてはストッパー付の芯材を構成することにより埋込材の浮上位置を正確にして一定化且つ安定化させることができる。
【図面の簡単な説明】
【図１】コンクリート打設前の断面図である。
【図２】コンクリート打設時の断面図である。
【図３】埋込材を並設した施工前の平面図である。
【図４】（ａ）（ｃ）は埋込材の長手方向の端面を示す正面図と背面図、（ｂ）は平面図である。
【図５】埋込材の変更例を示す正面図である。
【図６】芯材の変更例を示す断面図である。
【図７】さらに芯材の変更例を示す断面図である。
【符号の説明】
Ａ    埋込材
１    脱型仮型枠
２    芯材
２０    ストッパー
３０，３０′    埋込材の嵌合用凹凸部
４０，４０′    埋込材の連結用あいじゃくり部
【図１】
0003645114.tif 000002
【図２】
0003645114.tif 000003
【図３】
0003645114.tif 000004
【図４】
0003645114.tif 000005
【図５】
0003645114.tif 000006
【図６】
0003645114.tif 000007
【図７】
0003645114.tif 000008